(57)【要約】【課題】  施療機構が軽量となるマッサージ機を提供する。【解決手段】背もたれ部に当該背もたれ部の上下方向に昇降移動可能として内蔵され、被施療者に対し施療子を動かして施療を実行する施療機構を備えるマッサージ機において、  前記施療機構が、背もたれ部内部のガイドフレームに昇降移動可能に支持されるベース部を有し、ベース部は、中央に貫通孔を有する一枚の金属平板における外周部分の一部及び前記貫通孔周縁部の一部を、曲げ加工で、メカユニットの支持状態で被施療者に面しない側となる方へ起立状態とすることにより、略矩形状の外周形状及び略矩形状の開口部を有する成形体とされるマッサージ機。【選択図】  図４
2014050670.tif 000002
【特許請求の範囲】
【請求項１】
背もたれ部に当該背もたれ部の上下方向に昇降移動可能として内蔵され、被施療者に対し施療子を動かして施療を実行する施療機構を備えるマッサージ機において、
前記施療機構が、背もたれ部内部のガイドフレームに昇降移動可能に支持されるベース部を有し、
このベース部は、中央に貫通孔を有する一枚の金属平板における外周部分の一部及び前記貫通孔周縁部の一部を、曲げ加工で、メカユニットの支持状態で被施療者に面しない側となる方へ起立状態とすることにより、略矩形状の外周形状及び略矩形状の開口部を有する成形体とされることを特徴とするマッサージ機。
【発明の詳細な説明】
【技術分野】
【０００１】
本発明は、揉み玉等の施療子の被施療者側への進退させるマッサージ機に関し、特に駆動機構部の構造に関する。
【背景技術】
【０００２】
被施療者の身体を支持しつつマッサージ動作を実行する椅子型のマッサージ機では、通常、その背もたれ部に設けられる施療子としての揉み玉を、背もたれ部にもたれた被施療者に対し進退可能とし、被施療者の所望する施療の強さが得られる構成を有している。こうしたマッサージ機で、揉み玉を進退させる機構としては、揉み玉をその駆動機構部ごと傾動可能に支持し、駆動機構部を所定の傾動機構で傾動させることで一体の揉み玉も傾動させ、これにより揉み玉を被施療者の前後方向に位置変化させて、揉み玉が被施療者に対し進退調整される状況を得る仕組みが一般的に用いられていた。このような揉み玉の進退機構を採用したマッサージ機の一例として、特開２００７−６９７５号公報に開示されるものがある。
【先行技術文献】
【特許文献】
【０００３】
【特許文献１】特開２００７−６９７５号公報
【発明の概要】
【発明が解決しようとする課題】
【０００４】
特許文献に示す従来のマッサージ機においては、左右取付台を軸により連結したベースに駆動機構部を支持させていたので、ベース部の構成が複雑となり重量化の一因となっていた。
【０００５】
本発明は前記課題を解消するためになされたもので、ベース部を一枚の金属板の折曲げで形成して、構造を簡略化できると共に軽量化も図れるマッサージ機を提供することを目的とする。
【課題を解決するための手段】
【０００６】
本発明に係るマッサージ機は、背もたれ部に当該背もたれ部の上下方向に昇降移動可能として内蔵され、被施療者に対し施療子を動かして施療を実行する施療機構を備えるマッサージ機において、前記施療機構が、背もたれ部内部のガイドフレームに昇降移動可能に支持されるベース部を有し、このベース部は、中央に貫通孔を有する一枚の金属平板における外周部分の一部及び前記貫通孔周縁部の一部を、曲げ加工で、メカユニットの支持状態で被施療者に面しない側となる方へ起立状態とすることにより、略矩形状の外周形状及び略矩形状の開口部を有する成形体とされるものである。
【０００７】
このように本発明によれば、ベース部を一枚の金属板の折曲げで形成し、駆動機構部を取囲む各部を当初から一体としつつ、曲げで生じさせた起立部分により剛性を確保することで、構造を簡略化できると共に軽量化も図れる。
【０００８】
また、本発明の参考となるマッサージ機は、背もたれ部に当該背もたれ部の上下方向に昇降移動可能として内蔵され、被施療者に対し施療子を動かして施療を実行する施療機構を備えるマッサージ機において、前記施療機構が、背もたれ部内部のガイドフレームに昇降移動可能に支持されるベース部と、ベース部に対し傾動可能に取付けられて施療子を作動させる駆動機構部と、ベース部に対して駆動機構部を傾動させ、施療子の被施療者側への突出量を調整可能とする傾動機構と、前記駆動機構部のベース部に対する傾動角度変位を検出するロータリエンコーダとを有し、前記駆動機構部が、前記ベース部に支持される軸に取付けられて、当該軸を傾動中心として傾動可能に配設され、前記ロータリエンコーダが、前記駆動機構部側に取付けられるスケール部と、前記ベース部側に取付けられる検出部とからなり、スケール部のベース部に対する傾動角度変位を検出部で検出し、前記スケール部が、前記駆動機構部の側方で駆動機構部に対し固定されると共に、一部を前記軸の円筒面状の外周面に常に摺接させて、駆動機構部と共に傾動しつつ、前記軸周りの回動以外の移動の自由度を有しない状態とされるものである。
【０００９】
このように本発明の参考となるマッサージ機によればベース部に対する駆動機構部の傾動角度を検出するロータリエンコーダのスケール部が、駆動機構部の傾動中心となる軸に摺接し、駆動機構部が傾動する際に、スケール部が軸外周の円筒面に接触しながら傾動する状態となって、その傾動に係る動きを軸で拘束され、移動の自由度をこの軸周りの回動のみに制限されることにより、駆動機構部の傾動と同時に傾動するスケール部が、正確に駆動機構部の傾動中心周りに傾動することとなり、ロータリエンコーダでの傾動角度の検出に際し、仮に、駆動機構部各部の部品精度や組立精度の影響で、駆動機構部の軸周りの傾動に他の動き成分が加わる状態になったとしても、そうした動きの変化がスケール部に反映されず、スケール部が検出部に対し適切な位置関係を維持しつつ駆動機構部の傾動に対応して傾動でき、ロータリエンコーダとして適切に傾動角度の検出を行って、施療子の進退に係る制御の正確な実行が図れる。
【００１０】
また、本発明の参考となるマッサージ機は必要に応じて、前記ロータリエンコーダのスケール部が、前記駆動機構部における施療子とは離れた側で且つ前記軸と直交する向きから軸に近接して摺接状態とされると共に、当該摺接状態で当接した駆動機構部の所定箇所に対し軸と直交する他の向きから所定の係止部材を用いて係止されて、駆動機構部に固定されるものである。
【００１１】
このように本発明の参考となるマッサージ機によれば、ロータリエンコーダのスケール部を駆動機構部の傾動中心の軸に対し所定方向から近接させて摺接させると共に、当接した駆動機構部の所定箇所に係止部材で係止し固定して、スケール部を駆動機構部と一体に傾動し且つ軸による拘束を受ける状態とすることにより、既に駆動機構部が傾動可能に配設されている状況で、後からスケール部を適切な位置に無理なく配設することができ、駆動機構部の傾動角度を高い精度で検出可能としつつ、当初から駆動機構部にスケール部を一体に固定しない分、駆動機構部のベース部への組付けが容易となり、後からの駆動機構部へのスケール部の固定も容易であることと合わせて、組立ての能率を高められ、製造コストの低減が図れる。
【００１２】
また、本発明の参考となるマッサージ機は必要に応じて、前記ベース部が、中央に貫通孔を有する所定形状の金属平板における外周部分の複数箇所及び前記貫通孔周縁部の複数箇所を、曲げ加工で少なくとも板厚より大きい高さ寸法分、起立状態として得られる、略矩形状の外周形状及び略矩形開口形状の開口部を有する成形体とされ、前記ベース部の外周における各起立部分は、折曲げ線方向の長さを、起立部分の折曲げ線と略平行となる開口部の辺の略全長に相当する寸法以上となるようにして折曲げ形成されてなり、前記駆動機構部が、前記軸へ取付けられた状態で、前記ベース部の開口部を通って傾動可能とされるものである。
【００１３】
このように本発明の参考となるマッサージ機によれば、ベース部を金属板の折曲げで略矩形状の外周形状及び略矩形状の開口部を有するものとして形成し、シンプル且つ軽量ながら十分な剛性を確保できる構造が得られることにより、駆動機構部の傾動や施療子の作動に伴い駆動機構部が力を受けても、ベース部では各起立部分が曲げ応力に対する抵抗材として働くこととなり、ベース部の変形を確実に抑えられ、駆動機構部とベース部との位置関係を不用意に変化させず、ロータリエンコーダによる駆動機構部の傾動角度の検出に悪影響が及ばない。また、ベース部が金属板からなる一体構造で、剛性を高めつつも軽量で簡略な構造にでき、製造コストも抑えられる。
【００１４】
また、本発明の参考となるマッサージ機は必要に応じて、前記ベース部の外周における起立部分のうち、前記軸と直交する向きの二つの起立部分からそれぞれ外方に突出する所定の軸周りに回動可能として複数のローラが配設され、前記施療機構の昇降移動に伴い、前記複数のローラのうち、第一の組をなす複数のローラが、前記ガイドフレームの所定の一面に接触して転動すると共に、第二の組をなす複数のローラが、ガイドフレームの前記一面の反対側となる他面に接触して転動するものである。
【００１５】
このように本発明の参考となるマッサージ機によれば、ベース部外周の起立部分に配設した複数のローラがガイドフレームを挟んだ状態で転動しつつ、施療機構の昇降移動がなされることで、施療機構とガイドフレームとの位置関係が変化せず、背もたれ部で施療機構を適切に昇降移動させられると共に、ガイドフレームで確実に施療機構を支持して正確に施療を実行できる。さらに、ベース部が確実にガイドフレームに位置決めされた状態で支持され、駆動機構部の傾動に際しベース部が不用意に動くことはなく、ロータリエンコーダでの傾動角度の検出に悪影響を与えるのを防止できる。
【図面の簡単な説明】
【００１６】
【図１】本発明の一実施形態に係るマッサージ機の斜視図である。
【図２】本発明の一実施形態に係るマッサージ機のブロック図である。
【図３】本発明の一実施形態に係るマッサージ機におけるメカユニットの正面図である。
【図４】本発明の一実施形態に係るマッサージ機におけるメカユニットの背面図である。
【図５】本発明の一実施形態に係るマッサージ機におけるメカユニット側端部とガイドフレームとの位置関係説明図である。
【図６】本発明の一実施形態に係るマッサージ機におけるメカユニットの駆動ローラとガイドフレームのラックとの噛合状態説明図である。
【図７】図３のＡ−Ａ断面図である。
【図８】本発明の一実施形態に係るマッサージ機における駆動機構部へのスケール部取付状態説明図である。
【図９】図３のＢ−Ｂ断面図である。
【図１０】本発明の一実施形態に係るマッサージ機のメカユニットにおけるベース部の平面図である。
【図１１】本発明の一実施形態に係るマッサージ機のメカユニットにおけるベース部の正面図である。
【図１２】本発明の一実施形態に係るマッサージ機のメカユニットにおけるベース部の底面図である。
【図１３】本発明の一実施形態に係るマッサージ機のメカユニットにおけるベース部の右側面図である。
【図１４】図１１のＣ−Ｃ断面図である。
【発明を実施するための形態】
【００１７】
以下、本発明の一実施形態に係るマッサージ機を前記図１ないし図１４に基づいて説明する。
前記各図において本実施形態に係るマッサージ機１は、着座した被施療者を支える椅子状のものであり、詳細には、床面上に載置されて椅子全体を安定的に支持する基台部１１と、この基台部１１の上方で被施療者の臀部を支える座部１２と、この座部１２の後側で被施療者の背中を支える背もたれ部１３と、座部１２の左右両側で被施療者の肘や前腕部を支える肘掛部１４と、座部１２の前側で被施療者の脚を支える脚支持部１５と、マッサージ動作に係る各種操作入力を受付けるリモコン３０と、搭載されている複数の施療機構によるマッサージ動作を操作入力や記録情報等の内容に基づいて制御する制御部４０とを備える構成である。
【００１８】
前記基台部１１は、椅子各部をなす前記座部１２、背もたれ部１３、肘掛部１４、及び脚支持部１５を一体に取付けられてこれらを支持するものである。また、前記座部１２は、基台部１１に対し座面の傾斜角度を調整可能として取付けられ、座面にて被施療者の臀部や太腿部を支えつつ内蔵の施療機構でマッサージを実行するものである。この座部１２の施療機構としては、空気の給排で動作する臀部用エアセル７１、及び太腿用エアセル７２を備える構成である。これらエアセルを空気の給排で動作させるエアポンプ７０が座部１２下側のスペースに配設される。
【００１９】
前記背もたれ部１３は、人の背中形状に合せた表面形状とされて前記基台部１１及び座部１２に対し傾斜角度を調整可能として配設され、その内部に、マッサージを実行する施療機構を備える構成である。
背もたれ部１３内部には、施療子としての左右一対の揉み玉５１とこれを動作させる駆動機構部６０が一体となったメカユニット５０と、このメカユニット５０を背もたれ部１３上下方向に移動可能に支持しつつ、背もたれ部の各部を内部から支える枠状の背もたれ部フレーム１３ａと、前記エアポンプ７０による空気の給排で動作する背中用エアセル７３及び腰用エアセル７４とがそれぞれ配設される構成である。このうちメカユニット５０、背中用エアセル７３、及び腰用エアセル７４が、それぞれマッサージを実行する施療機構をなす。
【００２０】
なお、この背もたれ部１３の左右両側部には、被施療者に面する内面側にエアセル等の施療機構を設けた一対の側壁部を突出配設して、被施療者の上腕部等に対して側方からマッサージを行えるようにすることもできる。
【００２１】
前記背もたれ部フレーム１３ａは、メカユニット５０を背もたれ部１３上下方向に移動可能とし且つ他方向への動きは拘束して支持する左右一対のガイドフレーム２０間に、複数の横フレームを横方向に掛渡して一体に連結して、略梯子状のフレーム構造とされるものである。
【００２２】
前記ガイドフレーム２０は、略コ字状の断面形状を有すると共に、人の背中形状に合せた背もたれ部１３の表面に沿う長手方向形状とされてなり、一対を背もたれ部内部左右にそれぞれ配設される構成である。この対をなす二つのガイドフレーム２０に挟まれる配置で、前記メカユニット５０がガイドフレーム２０に沿って移動可能に配設される。このガイドフレーム２０の内周に、樹脂製のラック２１がメカユニット５０の上下動範囲にわたる長さとして配設される。
【００２３】
前記メカユニット５０は、揉み、叩き等の刺激を被施療者に与える施療子としての左右一対の揉み玉５１と、この揉み玉５１を突出状態で支持する左右一対の揉み玉支持アーム５２と、この揉み玉支持アーム５２を介して揉み玉５１を揉み、叩き等のマッサージ動作に対応させて駆動する駆動機構部６０と、背もたれ部上下方向に直交する軸線を中心として駆動機構部６０を傾動可能に支持するベース部５３と、駆動機構部６０のベース部５３に対する傾動状態を検出するロータリエンコーダ５４と、ベース部５３側端部に回動可能に配設され、駆動源としての昇降モータ５７により回転駆動されてガイドフレーム２０を上下に走行し、ベース部５３をガイドフレーム２０に対し移動させる駆動ローラ５５と、ベース部５３側部に駆動ローラ５５の回転中心軸と平行な軸を中心に回動可能として取付けられ、ガイドフレーム２０の外周面に転がり接触する弾性材製のローラ５６ａ、５６ｂとを備える構成である。
【００２４】
前記駆動機構部６０は、ベース部５３に対し傾動可能に支持されるハウジング６１と、このハウジング６１と一体に配設され、制御部４０の制御に基づいて揉み玉５１に揉み動作を行わせるための駆動力を発生させる揉みモータ６２と、同じくハウジング６１と一体に配設され、制御部４０の制御に基づいて揉み玉５１に叩き動作を行わせるための駆動力を発生させる叩きモータ６３と、ハウジング６１に内蔵されて、これら揉みモータ６２、叩きモータ６３からの運動を揉み玉支持アーム５２を介して揉み玉５１に伝達する揉み機構及び叩き機構（図示を省略）とを備える、公知のマッサージ機に用いられるものと同様の機構であり、詳細な説明を省略する。
【００２５】
なお、ハウジング６１には、駆動機構部６０の傾動中心を同じく中心とする所定ピッチ円径で且つ所定円弧長さの、歯車の一部を切出した形状の歯部６７が固定配設される。この歯部６７は、駆動機構部６０と一体に傾動する揉み玉５１に対し、背もたれ部１３にもたれた場合の被施療者の背面位置を越えて突出可能となる傾動範囲を与えることのできる、十分な円弧長さとして形成される。
【００２６】
前記ベース部５３は、一枚の金属平板の曲げ加工で得られる、略矩形状の外周形状及び略矩形状の開口部５３ｂを有する成形体であり、中央部分の開口部５３ｂに配置した駆動機構部６０を傾動可能に支持する構成である。この他、ベース部５３には、制御部４０の制御に基づいてメカユニット昇降用の駆動力を発生させる昇降モータ５７と、駆動機構部６０を傾動させる駆動力を発生させる進退モータ５８とが取付けられる構成である。
【００２７】
このベース部５３による駆動機構部６０の詳細な支持構成を説明すると、ベース部５３に、昇降用回転軸５３ａがその軸方向を背もたれ部上下方向に対し直交する向きとして回動可能に軸支されてなり、この昇降用回転軸５３ａ周りに駆動機構部６０のハウジング６１が相対回動可能に支持されることで、ベース部５３が駆動機構部６０を、昇降用回転軸５３ａを傾動中心として、開口部５３ｂを通って傾動可能となるように支持する仕組みである。
【００２８】
このベース部５３自体は、詳細には、中央に貫通孔を有する一枚の金属平板における外周部分の一部及び前記貫通孔周縁部の一部を、曲げ加工で、メカユニット５０の支持状態で被施療者に面しない側となる方へ起立状態とすることにより、略矩形状の外周形状及び略矩形状の開口部５３ｂを有する成形体とされるものである。素材としての金属平板の外周部分における四箇所を折曲げることで、最終形状における矩形状の外形をなす各辺に、金属板の板厚を大きく上回る所定高さ寸法の起立部分５３ｃ、５３ｄ、５３ｅ、５３ｆが配置される形状となっている。
【００２９】
これらのベース部５３の外周における各起立部分５３ｃ、５３ｄ、５３ｅ、５３ｆは、折曲げ線方向の長さを、起立部分の折曲げ線と略平行となる開口部５３ｂの辺の略全長に相当する寸法以上となるようにして折曲げ形成される。詳細には、金属平板の外周部分のうち対向する二箇所が、外周縁から貫通孔周縁に至る範囲を起立部分５３ｃ、５３ｄとして折曲げられており、起立部分５３ｃ、５３ｄが直接前記開口部５３ｂに面する状態とされる。これら外周であり且つ開口部５３ｂに面する二箇所の起立部分５３ｃ、５３ｄが、ベース部５３における背もたれ部上下方向の端部となる。この他の外周の二箇所の起立部分５３ｅ、５３ｆは、ベース部５３の側端部としてガイドフレーム２０に面する。
【００３０】
さらに、外周部分であり且つ貫通孔周縁である二箇所を折曲げて起立部分５３ｃ、５３ｄを形成する一方で、別途対向する貫通孔周縁部の二箇所をそれぞれ折曲げて起立部分５３ｇ、５３ｈを形成することで、略矩形状の開口部５３ｂを生じさせ、この開口部５３ｂの周縁となる各辺に起立部分５３ｃ、５３ｄ、５３ｇ、５３ｈが配置された形状を得ている。
【００３１】
これらのベース部５３の開口部５３ｂ周縁における各起立部分５３ｃ、５３ｄ、５３ｇ、５３ｈは、折曲げ線方向の長さを、少なくとも起立部分５３ｃ、５３ｄ、５３ｇ、５３ｈのある開口部の辺の略全長に相当する寸法となるようにして折曲げ形成されてなり、このうち外周であり且つ開口部５３ｂに面する上下方向端部の二箇所の起立部分５３ｃ、５３ｄは、その長さを外周の一辺全体に及ぶものとされて、開口部の辺を超える長さとなっている。
【００３２】
なお、ベース部５３における背もたれ部上下方向の端部となる各起立部分５３ｃ、５３ｄには、金属平板での貫通孔形状の設定で、横方向の中央部分で折曲げ部分を切欠き除去したような凹部５３ｉを配置することにより、このベース部端部の各起立部分５３ｃ、５３ｄが駆動機構部６０や揉み玉５１、被施療者の首部分等と接触するのを避けられる。
【００３３】
さらに、このうちの背もたれ部下方向の端部となる起立部分５３ｄの先端側所定範囲を、所定の傾斜角度で他部分に対し折曲げて傾斜部５３ｊとしている。この傾斜部５３ｊにより、誤ってメカユニット５０とマッサージ機座部との間の隙間に何かの物体が入り込んだ場合でも、傾斜部の存在により、物体が過剰に隙間の奥側へ向うのを阻止でき、物体が隙間からスムーズに抜けられることとなり、下降するメカユニットと座部とで物体、特に人の頭部等を挟むような危険な事態に至るのを防止できる。
【００３４】
この他、ベース部５３の側端部となる左右の起立部分５３ｅ、５３ｆには、外方に突出する状態に折曲げ形成されるストッパ部５３ｋが設けられており、このストッパ部５３ｋはガイドフレーム２０の外面に接触可能な突出量とされる。ベース部５３側部をガイドフレーム２０に係合させる駆動ローラ５５等が破損してメカユニット５０がガイドフレーム２０の拘束を受けにくい事態に至っても、ストッパ部５３ｋがガイドフレーム２０に接触することで、ベース部５３をはじめとするメカユニット５０が背もたれ部１３の被施療者に接する表面側に動くことはなく、安全を確保できる。
【００３５】
こうしてベース部５３を一枚の金属板の折曲げで形成し、駆動機構部６０を取囲む各部を当初から一体としつつ、曲げで生じさせた起立部分により剛性を確保することで、構造を簡略化できると共に軽量化も図れる。
【００３６】
このベース部５３に取付けられる昇降モータ５７は、昇降用回転軸５３ａを介してベース部５３側端部の駆動ローラ５５を回転駆動し、駆動ローラ５５がガイドフレーム２０を上下に走行するようにして、メカユニット５０をガイドフレーム２０に対し昇降移動させるものである。また、進退モータ５８は、制御部４０の制御に基づいて、連動する傾動用歯車５８ａを回転させ、この傾動用歯車５８ａと噛合している駆動機構部６０側の歯部６７を移動させることで、駆動機構部６０をベース部５３に対し傾動させ、これにより揉み玉５１位置を被施療者に対し進退させ、揉み玉５１の被施療者側への突出量、すなわち、施療の強さを調整するものである。
【００３７】
前記ロータリエンコーダ５４は、駆動機構部６０の側方となるベース部５３の開口部周縁部に取付けられる検出部５４ａと、駆動機構部６０の側部に取付けられる略扇形板状のスケール部５４ｂとからなり、スケール部５４ｂの傾動した量を検出部５４ａで検出して制御部４０へ信号を出力し、制御部４０で駆動機構部６０のベース部５３に対する傾動角度から揉み玉５１の進退量を取得可能とするものである。
【００３８】
このスケール部５４ｂの、最も昇降用回転軸５３ａから離れた位置となる円弧状外周部分近傍には、公知のロータリエンコーダの場合と同様に、スリット等の被検出部５４ｃが、傾動角度検出の分解能に対応する大きさ及び間隔で放射状に複数配設される構成である。これら被検出部５４ｃの配置の中心は、スケール部５４ｂの取付状態で昇降用回転軸５３ａの中心位置、すなわち駆動機構部６０の傾動中心と一致することとなる。また、スケール部５４ｂにおける略扇形の要となる部分には略半円筒面状の摺動面５４ｄが形成される構成である。
【００３９】
スケール部５４ｂは、駆動機構部６０のハウジング６１側部に突出する取付部６１ａに取付けられると共に、駆動機構部６０の傾動中心に一致する前記昇降用回転軸５３ａの外周面に対し、摺動面５４ｄを常に接触させた状態とされる。
【００４０】
詳細には、スケール部５４ｂは、ベース部５３に支持された状態の駆動機構部６０における揉み玉５１から離れた背面側で且つ昇降用回転軸５３ａと直交する向きから、昇降用回転軸５３ａに近接して摺動面５４ｄと昇降用回転軸５３ａとを摺接状態とされると共に、この軸への摺接状態で当接した駆動機構部６０の取付部６１ａに対し、軸に近接させた方向とは略直角となる、昇降用回転軸５３ａと直交する他の向きから、係止部材としてのねじ６１ｂを用いてねじ止めされて、駆動機構部６０に固定される仕組みである。
【００４１】
こうして、スケール部５４ｂの摺動面５４ｄと昇降用回転軸５３ａの外周面とが常に接触する状態とされることで、スケール部５４ｂは軸周りに回動する動き以外を行わないよう拘束される、すなわち、スケール部５４ｂが昇降用回転軸５３ａ周りの回動以外の移動の自由度を有しない状態とされる構成である。
【００４２】
なお、検出部５４ａとスケール部５４ｂの被検出部５４ｃとの組合わせによる傾動角度の検出は、光や磁気などその用いる検出手段は問わず、選択した検出手段に応じた検出部５４ａと被検出部５４ｃを採用することができる。
【００４３】
また、スケール部５４ｂにおいて、昇降用回転軸５３ａを中心として放射状に配置された状態となるスリット等の被検出部５４ｃを、公知のロータリエンコーダに見られるように、径方向に複数組設けると共に、対応する検出部５４ａの検出機構も、被検出部５４ｃに合せて複数組設けるようにして、検出結果から傾動の方向を識別したり、可動範囲の限界位置を把握できるようにしてもよい。
【００４４】
さらに、ベース部５３には、前記昇降モータ５７及び昇降用回転軸５３ａと共に、昇降用回転軸５３ａの回転を減速して伝達されて回転するスケール歯車５７ａと、ロータリエンコーダ５４の検出部５４ａと並べて取付けられて、スケール歯車５７ａの回転変位を検出する昇降変位検出部５７ｂとが配設される構成である。スケール歯車５７ａの回転した量を昇降変位検出部５７ｂで検出して制御部４０へ信号を出力すると、昇降用回転軸５３ａ及び駆動ローラ５５の回転数に対応しているスケール歯車５７ａの回転変位から、制御部４０がガイドフレーム２０上におけるメカユニット５０の昇降に係る変位を取得可能となる仕組みである。
【００４５】
このように駆動機構部６０の側方となるベース部５３の開口部周縁部に、ロータリエンコーダ５４の検出部５４ａと並べて昇降変位検出部５７ｂを設けるようにすることで、ロータリエンコーダ５４の検出部５４ａからの信号と昇降変位検出部５７ｂからの信号を制御部４０にそれぞれ出力する各信号処理回路を、一つの回路基板５３ｌにまとめてベース部５３上に配置することができ、ベース部５３上の各部品のレイアウトをより簡略にできると共に、回路基板５３ｌと制御部４０間の配線を大幅に省略、単純化可能となる。
【００４６】
前記駆動ローラ５５は、ベース部５３の側端部下寄りで、駆動機構部６０の傾動の中心を兼ねる昇降用回転軸５３ａの端部に取付けられ、昇降用回転軸５３ａを中心としてベース部５３に対し回動可能として配設され、ベース部５３の起立部分５３ｅ、５３ｆ寄りの端部を円筒面状、残りの他部分を歯車状のピニオンギヤ部５５ａとして形成される構成である。この駆動ローラ５５は、昇降モータ５７が一体の減速機構を介して昇降用回転軸５３ａを回転駆動することにより、この昇降用回転軸５３ａと共に回転する仕組みである。
【００４７】
この駆動ローラ５５に加え、ベース部５３側端部上側にはガイドローラ５９がそれぞれ回動可能に取付けられている。これら駆動ローラ５５とガイドローラ５９をガイドフレーム２０に挿嵌すると共に、駆動ローラ５５のピニオンギヤ部５５ａをガイドフレーム２０のラック２１と噛合させることで、ベース部５３側端部がガイドフレーム２０に支持され、ベース部５３は背もたれ部上下方向に移動可能で且つ他方向への動きを拘束されることとなる。
【００４８】
さらに、ベース部５３側端部における駆動ローラ５５とガイドローラ５９の各近傍には、ローラ５６ａ、５６ｂが起立部分５３ｅ、５３ｆで支持されつつ回動可能に配設される。これらローラ５６ａ、５６ｂは、駆動ローラ５５とガイドローラ５９がガイドフレーム２０に挿嵌された状態で、ガイドフレーム２０におけるラック２１のある面の裏側にあたる外周面に転がり接触する。
【００４９】
各ローラ５６ａ、５６ｂは、ベース部５３側端部における各駆動ローラ５５と各ガイドローラ５９にそれぞれ一つずつ対応させて配設され、各駆動ローラ５５や各ガイドローラ５９の配置位置に対し、これらの位置とガイドフレーム２０を隔てた反対側に配設される。
【００５０】
各ローラ５６ａ、５６ｂは、最も近い駆動ローラ５５又はガイドローラ５９との間隔をそれぞれ維持し、駆動ローラ５５とガイドローラ５９がガイドフレーム２０に挿嵌される状態で、ガイドフレーム２０の外周面に転がり接触し、駆動ローラ５５とローラ５６ａとの間、並びに、ガイドローラ５９とローラ５６ｂとの間に、それぞれガイドフレーム２０の一部が挟まれることで、駆動ローラ５５とガイドローラ５９がガイドフレーム２０からの離隔を阻止され、ガイドフレーム２０に接して動く状態が得られる。
【００５１】
メカユニット５０は、ベース部５３の側端部における駆動ローラ５５やガイドローラ５９を一対のガイドフレーム２０にそれぞれ上下移動可能に支持されることで、ガイドフレーム２０に挟まれる配置状態となる。
そして、駆動ローラ５５が、昇降モータ５７による駆動に伴って回転することで、ラック２１との噛合位置を変えてガイドフレーム２０を走行する状態となり、同時にベース部５３を含むメカユニット５０全体をガイドフレーム２０に沿って背もたれ部１３の上下に移動させ、背もたれ部１３における揉み玉５１の位置（揉み玉による施療対象部位）を上下に変えられる仕組みとなっている。
【００５２】
そして、メカユニット５０は、設定されたマッサージの内容に応じて、制御部４０による制御で、昇降モータ５７を作動させて背もたれ部１３の上下に移動し、揉み玉５１の上下位置を調整されると共に、進退モータ５８の作動による揉み玉５１と駆動機構部６０の傾動で、揉み玉５１の被施療者側への突出量を調整されて、揉み玉５１をマッサージの対象箇所に位置させる。揉み玉５１の移動後、又はこうした揉み玉５１の移動と並行して、制御部４０が、マッサージの種類に応じて、メカユニット５０における駆動機構部６０の揉み、叩き用のモータを作動させ、揉み玉５１に設定された揉みや叩き等のマッサージに対応した動きを行わせることとなる。
【００５３】
前記肘掛部１４は、座部１２の両側に配設され、背もたれ部１３がリクライニング角度を変化させたり、座部１２が傾動した場合でも、被施療者の前腕を安定的に支持するよう形成される構成である。この肘掛部１４にも、前記エアポンプ７０による空気の給排で動作するエアセルを配設して、被施療者の前腕部に対しマッサージを行える構成としてかまわない。
【００５４】
前記脚支持部１５は、座部１２の前側に位置し、座部１２前端付近を中心として傾動可能に配設され、内蔵のアクチュエータ（図示を省略）により傾斜角度を調整されるものである。この脚支持部１５にも、前記エアポンプ７０による空気の給排で動作する脚用エアセルや、上下に移動しつつ脚を押圧するローラ等の施療機構を配設するようにしてかまわない。
【００５５】
前記リモコン３０は、マッサージ機に対する各種操作入力を受付ける多数のスイッチや表示部を備え、マッサージ機１の側部におけるスタンド３１に着脱自在に設置され、マッサージに係る操作入力を制御部４０に送信するものである。なお、リモコン３０のスイッチや表示部の位置を被施療者にとって最適位置とするために、スタンド３１の位置は調整可能となっている。
【００５６】
前記制御部４０は、あらかじめ被施療者の身体各部位置検出を実行して得られた検出結果に基づいて、施療機構やマッサージ機の他の各可動部分を被施療者に対応した状態に調整すると共に、施療機構や他の各可動部分に対し、リモコン操作やあらかじめ記録設定された施療内容、また前記検出結果の情報に基づいて、適切な施療の実行のための制御を行うものである。
【００５７】
この制御部４０は、そのハードウェア構成として、ＣＰＵやメモリ、入出力インターフェース等を備えるコンピュータとなっており、メモリ等に格納されるプログラムにより、コンピュータを制御部４０として動作させる仕組みである。この制御部４０をなすコンピュータは、ＣＰＵやメモリ、ＲＯＭ等を一体的に形成されたマイクロコンピュータとしてもかまわない。
【００５８】
この制御部４０をなすコンピュータのユニットは、座部１２直下等のマッサージ機１内部の所定のスペースに配設され、リモコン３０と通信可能な状態とされると共に、メカユニット５０の各種モータや、座部１２や背もたれ部１３、脚支持部１５を傾動させる各アクチュエータ、エアポンプ７０とそれぞれ電気的に接続され、被施療者の身体各部位置検出の際にはあらかじめ設定された位置検出用プログラムに基づく制御信号出力により、また、マッサージ実行の際には設定されたマッサージのデータに基づく制御信号出力により、これらの駆動機構の作動を制御する。
【００５９】
加えて、制御部４０は、メカユニット５０や各アクチュエータの変位量を出力するエンコーダ等の信号出力手段とも電気的に接続されており、メカユニット５０の状態や、座部１２、背もたれ部１３、及び脚支持部１５の傾斜等の状態を把握しつつ、モータやアクチュエータ等の駆動手段の作動制御を行うこととなる。
【００６０】
この他、制御部４０は、公知のマッサージ機と同様に、マッサージに先立つ被施療者の身体各部位置検出として、メカユニット５０を制御し、メカユニット５０を背もたれ部１３における初期位置からガイドフレーム２０に沿って移動させ、揉み玉５１を被施療者に沿って動かす過程で、背もたれ部１３にもたれた被施療者側からの揉み玉５１に対する圧力の変化や揉み玉５１の傾き変化等を順次取得し、この情報に基づいて、被施療者の肩位置、背骨のライン、腰位置を検出することもできる。
【００６１】
次に、本実施形態に係るマッサージ機のメカユニットにおける駆動機構部の傾動調整状態について説明する。前提として、マッサージ機１に被施療者が着座して背中を背もたれ部１３にもたれさせた状態で、マッサージ機１の主電源が入とされ、マッサージ機１が起動して、被施療者の体形検出などのマッサージ開始前の準備動作や、背もたれ部１３等の傾斜角度調整等が完了し、さらに、被施療者によりマッサージコース等の動作状態指示が入力されて、制御部４０が被施療者に対する揉み玉による施療を既に実行しているか、これから施療を実行しようとしているものとする。
【００６２】
揉み玉５１による施療の場合、設定された施療内容に応じて、制御部４０は、昇降モータ５７を作動させて各駆動ローラ５５を回転させ、ガイドフレーム２０に対しメカユニット５０全体を上下に移動させ、揉み玉５１の上下位置を調整する。
【００６３】
この際、駆動ローラ５５とローラ５６ａ、並びに、ガイドローラ５９とローラ５６ｂが、それぞれガイドフレーム２０の一部を挟んだ状態としていることで、駆動ローラ５５とラック２１とがこれらローラ５６ａ、５６ｂで離隔を阻止されて噛合状態を確実に維持し、回転する駆動ローラ５５がガイドフレーム２０に対し確実に上下動できる。これにより、メカユニット５０全体を正確に上下動させられ、揉み玉５１を正確に所望の上下方向位置に調整できる。
【００６４】
そして、これらローラ５６ａ、５６ｂの存在でガイドフレーム２０の形状精度に関わりなく駆動ローラ５５をラック２１寄りに位置させてピニオンギヤ部５５ａとラック２１の噛合状態を維持できる。このため、ガイドフレームを高精度に形成し且つ外力に対しその形状を厳密に維持できる高い剛性を確保する必要がなく、ガイドフレーム構造の簡略化、軽量化が図れる。
【００６５】
また、制御部４０は、進退モータ５８を作動させて駆動制御部６０をベース部５３に対し傾動させ、揉み玉５１を被施療者に対し進退させて、揉み玉５１の被施療者側への突出量を調整して、揉み玉５１を施療対象箇所に位置させる。この後、又はこうした揉み玉５１の移動と並行して、制御部４０は、施療の種類に応じて、揉みモータ６２及び／又は叩きモータ６３を作動させ、設定された揉みや叩き等のマッサージに対応した動きを揉み玉５１に行わせる。
【００６６】
揉み玉５１の被施療者側への突出量調整にあたり、制御部４０は、あらかじめ設定された量、又は、被施療者による入力指示に従って調整された量だけ、揉み玉５１を被施療者に対し進退させるように、進退モータ５８を作動させて駆動制御部６０を傾動させる。制御部４０は、ロータリエンコーダ５４からの信号出力で揉み玉５１及び駆動制御部６０の傾動角度を監視し、駆動制御部６０が傾動終了位置に到達したと判定すると、進退モータ５８に対し作動停止の制御指令を送出して、進退モータ５８を停止状態とし、駆動機構部６０の傾動を停止させて、揉み玉５１を適切な位置に保持することとなる。
【００６７】
駆動機構部６０を傾動させる中、仮に、駆動機構部各部の部品精度や組立精度が高くないことや、揉み玉５１に被施療者側から強い力が加わり、駆動機構部６０が傾動に対する抵抗あるいは傾動を促進させようとする力を受けて、駆動機構部自体に歪みを生じたことにより、駆動機構部６０の傾動に他の動き成分が加わる状態になったとしても、ロータリエンコーダ５４のスケール部５４ｂは常に昇降用回転軸５３ａに摺接してこれに拘束され、軸周りの回動のみ行うものとなっていることで、スケール部５４ｂは駆動機構部６０の傾動以外の動きの影響を受けることなく傾動し、検出部５４ａに対し適切な位置関係を維持できることで、スケール部５４ｂの傾動を検出部５４ａで正しく検出でき、制御部４０において駆動機構部６０の傾動角度に基づく揉み玉５１の進退移動量を正確に取得可能となる。
【００６８】
また、駆動機構部６０が力を受けるのに伴い、駆動機構部６０を支える昇降用回転軸５３ａ及びベース部５３に強い応力が加わっても、ベース部５３における開口部５３ｂ周囲に一体の起立部分５３ｃ、〜、５３ｈを十分に配置した剛性の高い構造により、ベース部のゆがみが生じにくく、ロータリエンコーダ５４による傾動角度の検出も問題なく行え、検出した傾動角度に基づいて制御部４０で適切に傾動を制御できる。
【００６９】
この他、駆動機構部６０が傾動用歯車５８ａと歯部６７との噛合に基づいて傾動させられる限界位置まで傾動した場合には、ロータリエンコーダ５４の検出部５４ａが、スケール部５４ｂにおける被検出部５４ｃのうち、傾動限界点を示すものを検出して対応する信号を出力し、制御部４０はこれを受けて傾動終了を判定し、進退モータ５８を停止させ、揉み玉５１及び駆動機構部６０を停止させる。
【００７０】
このように、本実施形態に係るマッサージ機は、ベース部５３に対する駆動機構部６０の傾動角度を検出するロータリエンコーダ５４のスケール部５４ｂが、駆動機構部６０の傾動中心となる昇降用回転軸５３ａに常に摺接し、駆動機構部６０が傾動する際に、スケール部５４ｂが軸外周の円筒面に接触しながら傾動する状態となって、その傾動に係る動きを昇降用回転軸５３ａで拘束され、移動の自由度をこの軸周りの回動のみに制限されることから、駆動機構部６０の傾動と同時に傾動するスケール部５４ｂが、正確に駆動機構部６０の傾動中心周りに傾動することとなり、ロータリエンコーダ５４での傾動角度の検出に際し、仮に、駆動機構部６０各部の低い部品精度や組立精度の影響、あるいは、揉み玉側から加わる力による駆動機構部６０の歪みの影響で、駆動機構部６０の軸周りの傾動に他の動き成分が加わる状態になったとしても、そうした動きの変化がスケール部５４ｂに反映されず、スケール部５４ｂが検出部５４ａに対し適切な位置関係を維持しつつ駆動機構部６０の傾動に対応して傾動でき、ロータリエンコーダ５４として適切に傾動角度の検出を行って、揉み玉５１の進退に係る制御の正確な実行が図れる。
【符号の説明】
【００７１】
１                マッサージ機
１１              基台部
１２              座部
１３              背もたれ部
１３ａ            背もたれ部フレーム
１４              肘掛部
１５              脚支持部
２０              ガイドフレーム
２１              ラック
３０              リモコン
３１              スタンド
４０              制御部
５０              メカユニット
５１              揉み玉
５２              揉み玉支持アーム
５３              ベース部
５３ａ            昇降用回転軸
５３ｂ            開口部
５３ｃ、５３ｄ    起立部分
５３ｅ、５３ｆ    起立部分
５３ｇ、５３ｈ    起立部分
５３ｉ            凹部
５３ｊ            傾斜部
５３ｋ            ストッパ部
５３ｌ            回路基板
５４              ロータリエンコーダ
５４ａ            検出部
５４ｂ            スケール部
５４ｃ            被検出部
５４ｄ            摺動面
５５              駆動ローラ
５５ａ            ピニオンギヤ部
５６              ローラ
５７              昇降モータ
５７ａ            スケール歯車
５７ｂ            昇降変位検出部
５８              進退モータ
５８ａ            傾動用歯車
５９              ガイドローラ
６０              駆動機構部
６１              ハウジング
６１ａ            取付部
６１ｂ            ねじ
６２              揉みモータ
６３              叩きモータ
６７              歯部
７０              エアポンプ
７１              臀部用エアセル
７２              太腿用エアセル
７３              背中用エアセル
７４              腰用エアセル
【図１】
2014050670.tif 000003
【図２】
2014050670.tif 000004
【図３】
2014050670.tif 000005
【図４】
2014050670.tif 000006
【図５】
2014050670.tif 000007
【図６】
2014050670.tif 000008
【図７】
2014050670.tif 000009
【図８】
2014050670.tif 000010
【図９】
2014050670.tif 000011
【図１０】
2014050670.tif 000012
【図１１】
2014050670.tif 000013
【図１２】
2014050670.tif 000014
【図１３】
2014050670.tif 000015
【図１４】
2014050670.tif 000016